(57)【要約】【課題】  光増幅器を含む光ファイバ伝送路に光クロスコネクト装置を接続し、光信号の送出先を切り替える光波長多重伝送システムにおいて、監視制御信号の伝送を行いながら光信号切り替えに伴う光増幅器の過渡応答による光信号品質劣化を低減する。【解決手段】  光スイッチの出力ポートから光ファイバ伝送路に送出する波長多重光信号に波長多重する監視制御信号を生成する監視制御信号送信器を備え、監視制御信号送信器は、光ファイバ伝送路に送出する波長多重光信号の波長多重数に増減があるときに、当該増減する波長と光増幅器の光増幅帯域外の波長との間で入れ代わるように監視制御信号の波長を切り替え、光ファイバ伝送路の光増幅器に入力する光増幅帯域の総和光電力の変動を抑圧する構成である。【選択図】        図１
2009278595.tif 000002
【特許請求の範囲】
【請求項１】
複数の入力ポートと出力ポート間の接続を切り替える光スイッチを備え、光増幅器を含む複数の光ファイバ伝送路を介して伝送された複数の波長多重光信号をそれぞれ各波長の光信号に分波して前記光スイッチの複数の入力ポートに入力し、前記光スイッチの複数の出力ポートから出力された各波長の光信号をそれぞれ合波して複数の波長多重光信号を生成し、光増幅器を含む複数の光ファイバ伝送路にそれぞれ出力する光クロスコネクト装置を含む光波長多重伝送システムにおいて、
前記光スイッチの出力ポートから前記光ファイバ伝送路に送出する前記波長多重光信号に波長多重する監視制御信号を生成する監視制御信号送信器を備え、
前記監視制御信号送信器は、前記光ファイバ伝送路に送出する前記波長多重光信号の波長多重数に増減があるときに、当該増減する波長と前記光増幅器の光増幅帯域外の波長との間で入れ代わるように前記監視制御信号の波長を切り替え、前記光ファイバ伝送路の光増幅器に入力する光増幅帯域の総和光電力の変動を抑圧する構成である
ことを特徴とする光波長多重伝送システム。
【請求項２】
請求項１に記載の光波長多重伝送システムにおいて、
前記監視制御信号送信器は、前記光スイッチの入力ポート側に配置し、前記光クロスコネクト装置から各光ファイバ伝送路に送出する前記波長多重光信号の波長多重数の増減に応じた波長の監視制御信号を出力し、前記光スイッチを介して当該光ファイバ伝送路に送出する構成である
ことを特徴とする光波長多重伝送システム。
【請求項３】
請求項１に記載の光波長多重伝送システムにおいて、
前記光ファイバ伝送路から前記光クロスコネクト装置に入力する前記波長多重光信号を分岐して入力し、前記波長多重光信号に波長多重して伝送された前記監視制御信号を受信する監視制御信号受信器を備えた
ことを特徴とする光波長多重伝送システム。
【請求項４】
請求項１に記載の光波長多重伝送システムにおいて、
前記光ファイバ伝送路から前記光クロスコネクト装置に入力する前記波長多重光信号を前記光スイッチを介して入力し、前記波長多重光信号に波長多重して伝送された前記監視制御信号を受信する監視制御信号受信器を備えた
ことを特徴とする光波長多重伝送システム。
【請求項５】
複数の入力ポートと出力ポート間の接続を切り替える光スイッチを備え、光増幅器を含む複数の光ファイバ伝送路を介して伝送された複数の波長多重光信号をそれぞれ各波長の光信号に分波して前記光スイッチの複数の入力ポートに入力し、前記光スイッチの複数の出力ポートから出力された各波長の光信号をそれぞれ合波して複数の波長多重光信号を生成し、光増幅器を含む複数の光ファイバ伝送路にそれぞれ出力する光クロスコネクト装置を含む光波長多重伝送システムの光増幅器制御方法において、
前記光スイッチの出力ポートから前記光ファイバ伝送路に送出する前記波長多重光信号に波長多重する監視制御信号を生成する監視制御信号送信器を用い、前記光ファイバ伝送路に送出する前記波長多重光信号の波長多重数に増減があるときに、当該増減する波長と前記光増幅器の光増幅帯域外の波長との間で入れ代わるように前記監視制御信号の波長を切り替え、前記光ファイバ伝送路の光増幅器に入力する光増幅帯域の総和光電力の変動を抑圧する
ことを特徴とする光増幅器制御方法。
【請求項６】
請求項５に記載の光増幅器制御方法において、
前記監視制御信号送信器は、前記光スイッチの入力ポート側に配置し、前記光クロスコネクト装置から各光ファイバ伝送路に送出する前記波長多重光信号の波長多重数の増減に応じた波長の監視制御信号を出力し、前記光スイッチを介して当該光ファイバ伝送路に送出する
ことを特徴とする光増幅器制御方法。
【発明の詳細な説明】
【技術分野】
【０００１】
本発明は、光クロスコネクト装置および光増幅器を含む光波長多重伝送システムにおいて、光クロスコネクト装置のスイッチングに伴う波長多重数の変動による光増幅器の過渡応答を監視制御信号を用いて緩和する光波長多重伝送システムおよび光増幅器制御方法に関する。
【背景技術】
【０００２】
光波長多重伝送システムでは、波長多重された主信号を伝送する手段に加えて、光増幅中継装置の状態を監視するための監視制御信号伝送手段を備えることが一般的である。
【０００３】
図１０は、監視制御信号伝送手段を含む光波長多重伝送システムの構成例を示す。ここでは、光ファイバ伝送路および光増幅中継装置を介して接続される端局装置間で波長多重主信号および監視制御信号を伝送する構成例を示す。
【０００４】
図において、一方の端局装置１００は、複数の主信号送信器１０１から出力される主信号を合波器１０２で波長多重し、その波長多重主信号に光カプラ１０３で監視制御信号送信器１０４から出力される監視制御信号を波長多重し、光ファイバ伝送路１０５に送出する。光ファイバ伝送路１０５には光増幅器１０６を含む光増幅中継装置１０７が挿入される。光増幅中継装置１０７は、光増幅器１０６で波長多重主信号を増幅して次段に送信するとともに、光カプラ１０８を介して分岐した波長多重光信号を監視制御信号受信器１０９に入力して監視制御信号を検出し、監視制御回路１１０に通知する。監視制御回路１１０は、前段からの監視制御信号を処理するとともに、次段に伝達する光増幅中継装置１０７の状態等の情報を生成し、監視制御信号送信器１１１から監視制御信号を送信する。監視制御信号送信器１１１から出力される監視制御信号は、光カプラ１１２で光増幅器１０６で増幅された波長多重主信号に波長多重され、光ファイバ伝送路１０５を介して次段に送信される。他方の端局装置１１３は、分波器１１４で波長多重主信号を各波長の主信号に分波して主信号受信器１１５に受信されるとともに、光カプラ１１６を介して分岐した波長多重光信号を監視制御信号受信器１１７に入力して監視制御信号を検出する。他方の端局装置１１３から光増幅中継装置１０７を介して一方の端局装置１００への伝送経路においても同様である。
【０００５】
ここで、監視制御信号送信器１０４，１１１は、主信号とは異なる波長の光源と光変調器を備え、波長多重主信号に波長多重される監視制御信号を送信する構成である。この監視制御信号の波長λosc は、図１１に示すように、主信号の波長帯域（λ１〜λ４）とは異なる波長帯域で、かつ光増幅器の光増幅帯域外に設定することが一般的である。
【０００６】
一方、光波長多重伝送システムでは、複数の光信号の経路を自在に設定し、切り替えを行うために光クロスコネクト装置が用いられる。光クロスコネクト装置は、複数の光信号入力部および光信号出力部と、これらの入出力部間を接続するスイッチ部を基本構成とし、スイッチ部の制御によって任意の光信号入力部と光信号出力部を一意に接続し、さらに要求に応じてこれらの接続組み合わせの変更を可能とする（特許文献１）。この光クロスコネクト装置のスイッチ部には、構成の簡易さ、コスト、信頼性の観点から光信号を電気信号に変換せずにそのまま切り替えを行う光スイッチを用いることが多い。
【０００７】
図１２は、光クロスコネクト装置を含む光波長多重伝送システムの構成例を示す。ここでは、簡単のために光クロスコネクト装置１０−１〜１０−４のそれぞれの入出力方路数を２本とし、光クロスコネクト装置１０−１と光クロスコネクト装置１０−２，１０−３がそれぞれ光ファイバ伝送路１，２を介して接続され、光クロスコネクト装置１０−２，１０−３と光クロスコネクト装置１０−４がそれぞれ光ファイバ伝送路３，４を介して接続される構成を示す。
【０００８】
一般に方路数をＭとすると（Ｍは２以上の整数）、１つの光クロスコネクト装置１０には入出力方路それぞれにＭ本の光ファイバ伝送路が接続される。また、波長多重伝送を行う場合に波長多重数をＮとすると（Ｎは２以上の整数）、Ｍ本の光ファイバ伝送路の光信号は、分波器１１を介してそれぞれＮ本の光信号に分離され、光スイッチ１２の（Ｎ×Ｍ）本の入力ポートに接続される。さらに、光クロスコネクト装置１０でクライアント信号が入出力される場合、Ｋ本のＡddポートから入力するクライアント信号が光スイッチ１２のＫ本の入力ポートに接続される（Ｋは１以上の整数）。光スイッチ１２は、これら（Ｎ×Ｍ＋Ｋ）本の光信号をクロスコネクトして（Ｎ×Ｍ＋Ｋ）本の出力ポートに出力する。このうち、（Ｎ×Ｍ）本の光信号は合波器１３でそれぞれＮ本の光信号が波長多重され、Ｍ本の光ファイバ伝送路にそれぞれ出力されるとともに、Ｋ本のクライアント信号はDropポートに出力される。
【０００９】
なお、合波器１３で波長多重する光信号は、互いに波長が異なっている必要がある一方、各光ファイバ伝送路で波長多重伝送に用いられる波長帯は共通の場合が一般的である。そのため、合波器１３に異なる光ファイバ伝送路から入力した同じ波長の光信号が入力される場合もある。このような場合には、合波器１３の入力部の一部または全部に波長変換器を備え、波長競合が起こった場合にいずれかの波長を変換してから合波器１３に入力する構成をとる。
【特許文献１】特開平０６−２９２２４６号公報
【発明の開示】
【発明が解決しようとする課題】
【００１０】
ところで、光増幅器を含む光ファイバ伝送路に光クロスコネクト装置を接続し、光信号の送出先を切り替える場合に、光ファイバ伝送路中の総和光電力は波長多重数に応じて変化することになるが、光ファイバ伝送路中を伝搬する各波長の光信号レベルは一定に保たれる必要がある。それは、光信号レベルの低下は光信号対雑音比の低下を招く一方で、光信号レベルの増加は光ファイバの非線形光学効果による劣化を招く可能性があるためである。したがって、光波長多重伝送システムの光ファイバ伝送路に用いられる光増幅器は、各波長の光信号レベルを一定に保つための自動利得制御回路を備えることが一般的である。
【００１１】
しかし、このような自動利得制御回路を備えた光増幅器は、入力光信号が急速に変動した場合に過渡的利得変動を生ずる場合があることが知られている。この過渡応答は、入力光信号電力の変動速度が光増幅器の利得緩和時間に近いほど顕著になる。なお、利得緩和時間は、例えば一般に用いられるエルビウム添加光ファイバ増幅器の場合は数ミリ秒程度であり、光増幅器の種類や飽和強度等の動作条件によって変わる。一方、一般に用いられる光スイッチの切り替え速度は数ミリ秒程度あるいはそれ以下の場合もあるため、この過渡応答の影響が重大な問題になる。
【００１２】
さらに、光ファイバ伝送路に光信号がないときに光信号が入力された場合には、光増幅器の過渡応答が最も顕著に現れるため、通常は光増幅器の励起光源を零あるいは低下させることによりこれを防ぐ方法がとられる。しかし、この方法は光信号を切り替えて光波長パスを設定したり削除する場合に、迅速な動作を実現する上で問題となる。
【００１３】
本発明は、光増幅器を含む光ファイバ伝送路に光クロスコネクト装置を接続し、光信号の送出先を切り替える光波長多重伝送システムにおいて、監視制御信号の伝送を行いながら光信号切り替えに伴う光増幅器の過渡応答による光信号品質劣化を低減することができる光波長多重伝送システムおよび光増幅器制御方法を提供することを目的とする。
【課題を解決するための手段】
【００１４】
第１の発明は、複数の入力ポートと出力ポート間の接続を切り替える光スイッチを備え、光増幅器を含む複数の光ファイバ伝送路を介して伝送された複数の波長多重光信号をそれぞれ各波長の光信号に分波して光スイッチの複数の入力ポートに入力し、光スイッチの複数の出力ポートから出力された各波長の光信号をそれぞれ合波して複数の波長多重光信号を生成し、光増幅器を含む複数の光ファイバ伝送路にそれぞれ出力する光クロスコネクト装置を含む光波長多重伝送システムにおいて、光スイッチの出力ポートから光ファイバ伝送路に送出する波長多重光信号に波長多重する監視制御信号を生成する監視制御信号送信器を備え、監視制御信号送信器は、光ファイバ伝送路に送出する波長多重光信号の波長多重数に増減があるときに、当該増減する波長と光増幅器の光増幅帯域外の波長との間で入れ代わるように監視制御信号の波長を切り替え、光ファイバ伝送路の光増幅器に入力する光増幅帯域の総和光電力の変動を抑圧する構成である。
【００１５】
また、監視制御信号送信器は、光スイッチの入力ポート側に配置し、光クロスコネクト装置から各光ファイバ伝送路に送出する波長多重光信号の波長多重数の増減に応じた波長の監視制御信号を出力し、光スイッチを介して当該光ファイバ伝送路に送出する構成としてもよい。
【００１６】
また、第１の発明の光波長多重伝送システムは、光ファイバ伝送路から光クロスコネクト装置に入力する波長多重光信号を分岐して入力し、波長多重光信号に波長多重して伝送された監視制御信号を受信する監視制御信号受信器を備える。
【００１７】
また、第１の発明の光波長多重伝送システムは、光ファイバ伝送路から光クロスコネクト装置に入力する波長多重光信号を光スイッチを介して入力し、波長多重光信号に波長多重して伝送された監視制御信号を受信する監視制御信号受信器を備える。
【００１８】
第２の発明は、複数の入力ポートと出力ポート間の接続を切り替える光スイッチを備え、光増幅器を含む複数の光ファイバ伝送路を介して伝送された複数の波長多重光信号をそれぞれ各波長の光信号に分波して光スイッチの複数の入力ポートに入力し、光スイッチの複数の出力ポートから出力された各波長の光信号をそれぞれ合波して複数の波長多重光信号を生成し、光増幅器を含む複数の光ファイバ伝送路にそれぞれ出力する光クロスコネクト装置を含む光波長多重伝送システムの光増幅器制御方法において、光スイッチの出力ポートから光ファイバ伝送路に送出する波長多重光信号に波長多重する監視制御信号を生成する監視制御信号送信器を用い、光ファイバ伝送路に送出する波長多重光信号の波長多重数に増減があるときに、当該増減する波長と光増幅器の光増幅帯域外の波長との間で入れ代わるように監視制御信号の波長を切り替え、光ファイバ伝送路の光増幅器に入力する光増幅帯域の総和光電力の変動を抑圧する。
【００１９】
また、監視制御信号送信器は、光スイッチの入力ポート側に配置し、光クロスコネクト装置から各光ファイバ伝送路に送出する波長多重光信号の波長多重数の増減に応じた波長の監視制御信号を出力し、光スイッチを介して当該光ファイバ伝送路に送出するようにしてもよい。
【発明の効果】
【００２０】
本発明は、光スイッチの制御に応じて光ファイバ伝送路に送出される波長多重光信号の波長多重数に変動が生じるときに監視制御信号の波長を切り替え、光ファイバ伝送路の光増幅器の光増幅帯域内の総和光電力が一定になるように制御することにより、光増幅器の過渡応答による光信号電力変動を回避することができる。
【００２１】
これにより、光クロスコネクト装置および光増幅器を含む光波長多重伝送システムにおいて、光クロスコネクト装置のスイッチングに伴う光信号品質劣化を低減し、光波長多重伝送システムの高性能化および高信頼性を確保し、運用性の向上を図ることができる。
【発明を実施するための最良の形態】
【００２２】
（第１の実施形態）
図１は、本発明の光波長多重伝送システムの第１の実施形態を示す。
図において、光クロスコネクト装置１０には、光ファイバ伝送路１，２を介して光増幅中継装置２０が接続される。光ファイバ伝送路１から光クロスコネクト装置１０に入力する波長多重光信号は、分波器１１で各波長の光信号に分離され、光スイッチ１２の複数の入力ポートに入力する。さらに、端局装置３０から光クロスコネクト装置１０の Addポートに入力するクライアント信号は、光スイッチ１２の対応する入力ポートに入力する。光スイッチ１２は、これら複数の光信号をクロスコネクトして複数の出力ポートに出力する。このうち、光ファイバ伝送路２に送出する各波長の光信号は合波器１３で波長多重されるとともに、端局装置３０に送出するクライアント信号はDropポートから出力される。
【００２３】
以上の構成は、図１２に示す従来の光波長多重伝送システムの光クロスコネクト装置と同様である。また、光増幅中継装置２０も図１０に示す光増幅中継装置１０７と同様の構成であるが、ここでは光増幅器のみを記載している。
【００２４】
本実施形態では、さらに光クロスコネクト装置１０において監視制御信号を送受信する監視制御信号受信器１４および監視制御信号送信器１５を備える。すなわち、監視制御信号受信器１４は、光クロスコネクト装置１０の入力ポートに挿入する光カプラ１６で分岐した波長多重光信号から監視制御信号を分離して受信する。また、監視制御信号送信器１５は監視制御信号を出力し、光クロスコネクト装置１０の出力ポートに挿入する光カプラ１７で波長多重光信号に波長多重して光ファイバ伝送路２に送出する。ここで、監視制御信号の波長として、図１１に示すように主信号とは異なる波長帯域で、かつ光増幅器の光増幅帯域外に設定することにより、従来の光波長多重伝送システムと同様の監視制御動作が可能である。
【００２５】
本実施形態の特徴は、光クロスコネクト装置１０から光ファイバ伝送路２にクロスコネクトされる主信号の増減があったときに、当該増減する主信号波長に入れ代わるように監視制御信号の波長を切り替えることにより、光ファイバ伝送路２に送出される総和光電力は増減するものの、光増幅中継装置２０の光増幅器に入力する光増幅帯域の総和光電力が一定になるように制御するところにある。
【００２６】
図２〜図６は、第１の実施形態における監視制御信号の波長制御例を示す。ここでは、主信号波長は図１１に示すように光増幅帯域に一致するλ１〜λ４とする。
【００２７】
図２(a) 〜(d) は、波長λ１，λ２，λ３の主信号が波長多重されて光ファイバ伝送路２に送出されているときに、時間ｔ１で光スイッチの切り替えにより波長λ４の主信号が加わる状況を示す。波長λ４の主信号が時間ｔ１から立ち上がり時間Δｔで切り替わると、光増幅中継装置２０の光増幅器に入力する総和光電力は時間ｔ１以降に増加する。このとき、波長λ４の主信号の立ち上がり時間Δｔが光増幅器の利得緩和時間に比べて短い場合には、光増幅器の過渡応答によって、波長λ１〜λ３の光信号電力が変動して劣化を招くことになる。
【００２８】
そこで、波長λ４の主信号が抜けている時間ｔ１までは、図２(e) に示すように、監視制御信号の波長をλ４に設定し、波長λ４の主信号が加わるときに入れ代わりに監視制御信号の波長をλ４から光増幅帯域外の波長λosc に切り替える。これにより、光増幅中継装置２０の光増幅器に入力する総和光電力は図２(f) の破線のように増加するが、光増幅帯域内の総和光電力は図２(f) の実線のように一定になり、光増幅器の過渡応答による光信号電力変動を回避することができる。波長λ１〜λ４の主信号のうち、波長λ４の主信号が加わるときに監視制御信号の波長がλ４からλosc に変化する例を図３(a),(b) に示す。
【００２９】
このような監視制御信号の波長制御は、図１に示す光クロスコネクト装置１０の光スイッチ１２の制御に応じて、光ファイバ伝送路２に送出される波長多重光信号から抜けている波長に、監視制御信号送信器１５から出力する監視制御信号の波長を設定し、その波長の主信号が加わるときに監視制御信号の波長を光増幅帯域外の波長λosc に切り替えることにより対応可能である。すなわち、光スイッチ１２の制御に応じて波長多重光信号の波長多重数に変動が生じるときに、監視制御信号送信器１５の波長を切り替える制御を行う。なお、監視制御信号受信器１４は、受信する監視制御信号の波長が図３に示すように切り替わる構成であっても、受信帯域が広い光受信器を用いることにより監視制御信号の受信は可能である。
【００３０】
また、光クロスコネクト装置１０において抜けている主信号波長が複数の場合には、図４(a),(b) に示すように、監視制御信号としてその複数の主信号の加算電力に相当する大きな光強度に設定すればよい。ここでは、波長λ３，λ４の主信号が抜けている場合に、例えば波長λ４の監視制御信号の光強度を大きく設定し、波長λ３，λ４の主信号が加わった後は光増幅帯域外の波長λosc に切り替える。
【００３１】
図５は、光クロスコネクト装置１０に接続される光ファイバ伝送路２で主信号が伝送されていないときに、光スイッチ１２の切り替えにより波長λ１〜λ４の主信号が加わる状況を示す。光ファイバ伝送路２に主信号がないときは監視制御信号の波長を光増幅帯域内（ここではλ４）に設定しておき、光信号の立ち上がり時間Δｔに応じて監視制御信号電力を減らし、切替終了時に光増幅帯域外の波長λosc に切り替える。これにより、光ファイバ伝送路２の光増幅器に入力する光増幅帯域内の総和光電力は一定になり、光増幅器の過渡応答による光信号電力変動を回避することができる。
【００３２】
なお、図３および図４において、(a) から(b) は光ファイバ伝送路２に送出される主信号が増加する場合であるが、減少する場合には(b) から(a) のように監視制御信号の波長を光増幅帯域外から光増幅帯域内に入れ替えればよい。図５において、光ファイバ伝送路２の主信号がすべてなくなるときも同様である。
【００３３】
図６は、光クロスコネクト装置１０において入出力ポートまたは光スイッチ１２に故障が生じ、予備系に切り替えるときに主信号が一時的に断になる状況を示す。光クロスコネクト装置１０の故障によって主信号電力が零になるが、予備系への切替動作が開始すると主信号電力が元の値に戻る。通常、故障による予備系切替処理は、光信号断時間を最小に留めるために迅速に行われる必要があるが、このときの光電力変化は光ファイバ伝送路２に主信号がない場合と同様に光増幅器の過渡応答による過大な光出力を生じさせることがある。そこで、図６に破線で示すように、故障発生と同時に監視制御信号の波長を光増幅帯域内（ここではλ４）に設定し、予備系切替による光増幅器入力光電力の変化が小さくなるように監視制御信号電力を変化させる。そして、予備系切替終了時には光増幅帯域外の波長λosc に切り替える。これにより、光ファイバ伝送路２の光増幅器に入力する光増幅帯域内の総和光電力は一定になり、光増幅器の過渡応答による光信号電力変動を回避することができる。
【００３４】
（第２の実施形態）
図７は、本発明の光波長多重伝送システムの第２の実施形態を示す。
図１に示す第１の実施形態では、光ファイバ伝送路２が接続される光クロスコネクト装置１０の出力ポートごとに監視制御信号送信器１５を配置し、それぞれの出力ポートの波長多重数に応じた監視制御信号の波長制御を行う構成であった。本実施形態では、光スイッチ１２の入力ポートに少なくとも１つの監視制御信号送信器１５を接続し、光クロスコネクト装置１０の各出力ポートにそれぞれ対応する波長の監視制御信号を光スイッチ１２を介して出力し、各出力ポートの光カプラ１７を介して波長多重光信号に監視制御信号を波長多重する構成とする。
【００３５】
（第３の実施形態）
図８は、本発明の光波長多重伝送システムの第３の実施形態を示す。
図１に示す第１の実施形態では、光ファイバ伝送路１が接続される光クロスコネクト装置１０の入力ポートごとに監視制御信号受信器１４を配置する構成であった。本実施形態では、光スイッチ１２の出力ポートに少なくとも１つの監視制御信号受信器１４を接続し、光クロスコネクト装置１０の各入力ポートの光カプラ１６で分岐した波長多重光信号を光スイッチ１２を介して監視制御信号受信器１４に入力し、監視制御信号を検出する構成とする。
【００３６】
（第４の実施形態）
図９は、本発明の光波長多重伝送システムの第４の実施形態を示す。本実施形態では、端局装置３０で送受信するクライアント信号に監視制御信号を波長多重して伝送する場合を想定する。
【００３７】
図において、端局装置３０は、監視制御信号受信器１４、監視制御信号送信器１５および光カプラ１６，１７を備える。端局装置３０から光クロスコネクト装置１０の Addポートに入力するクライアント信号には、監視制御信号送信器１５から出力される監視制御信号が光カプラ１７で波長多重され、光スイッチ１２を介して出力ポートにルーチングする。監視制御信号の波長は、出力ポートにルーチングされる主信号波長に応じて第１の実施形態と同様に制御される。
【００３８】
また、光クロスコネクト装置１０のDropポートから端局装置３０に送出するクライアント信号は、光カプラ１６で分岐して監視制御信号受信器１４に入力し、監視制御信号が検出される。
【００３９】
また、光クロスコネクト装置１０が波長多重光信号のまま波長群としてルーチングする構成では、端局装置３０から光クロスコネクト装置１０の Addポートに入力するクライアント信号、光クロスコネクト装置１０のDropポートから端局装置３０に送出するクライアント信号も波長多重光信号となる。ここで、端局装置３０から光クロスコネクト装置１０の Addポートに入力するクライアント信号の波長多重数に変動があれば、上記の実施形態と同様に監視制御信号の波長を制御してクライアント信号に波長多重するようにすればよい。
【００４０】
また、図１０に示すような光増幅中継装置２０の監視制御信号送信器１１１でも、監視制御信号の波長可変機能を備え、光増幅中継装置２０に入力する波長多重光信号の波長多重数に変動があれば、上記の実施形態と同様に監視制御信号の波長を制御することにより、次段の光増幅器における過渡応答を緩和させるようにしてもよい。
【図面の簡単な説明】
【００４１】
【図１】本発明の光波長多重伝送システムの第１の実施形態を示す図。
【図２】第１の実施形態における監視制御信号の波長制御例を示す図。
【図３】第１の実施形態における監視制御信号の波長制御例を示す図。
【図４】第１の実施形態における監視制御信号の波長制御例を示す図。
【図５】第１の実施形態における監視制御信号の波長制御例を示す図。
【図６】第１の実施形態における監視制御信号の波長制御例を示す図。
【図７】本発明の光波長多重伝送システムの第２の実施形態を示す図。
【図８】本発明の光波長多重伝送システムの第３の実施形態を示す図。
【図９】本発明の光波長多重伝送システムの第４の実施形態を示す図。
【図１０】監視制御信号伝送手段を含む光波長多重伝送システムの構成例を示す図。
【図１１】主信号と監視制御信号の波長関係を示す図。
【図１２】光クロスコネクト装置を含む光波長多重伝送システムの構成例を示す図。
【符号の説明】
【００４２】
１，２，３，４  光ファイバ伝送路
１０  光クロスコネクト装置
１１  分波器
１２  光スイッチ
１３  合波器
１４  監視制御信号受信器
１５  監視制御信号送信器
１６，１７  光カプラ
２０，１０７  光増幅中継装置
３０，１００，１１３  端局装置
【図１】
2009278595.tif 000003
【図２】
2009278595.tif 000004
【図３】
2009278595.tif 000005
【図４】
2009278595.tif 000006
【図５】
2009278595.tif 000007
【図６】
2009278595.tif 000008
【図７】
2009278595.tif 000009
【図８】
2009278595.tif 000010
【図９】
2009278595.tif 000011
【図１０】
2009278595.tif 000012
【図１１】
2009278595.tif 000013
【図１２】
2009278595.tif 000014